(57)【要約】【課題】市町村防災無線システムなどの無線通信システムにおいて、屋外子局のスピーカの吹鳴監視を適切に行う技術を提案する。【解決手段】市町村防災無線システム５０において、屋外子局８のトランペットスピーカ１３に振動センサ１５が取り付けられている。親局２０には、放送開始を知らせるチャイムを鳴らしたときのトランペットスピーカ１３の振動パターン（基準パターン）が予め記録されている。放送時に、トランペットスピーカ１３からチャイムを出力し、振動センサがその出力に伴う振動パターンを検出する。その検出結果が、予め記録しておいた基準パターンと同じであれば、トランペットスピーカ１３は正常であると判断する。【選択図】図１
2010147893.tif 000002
【特許請求の範囲】
【請求項１】
親局と子局とを備えて構成される無線通信システムであって、前記親局は、前記子局が備えるスピーカの振動パターンを検出して、前記振動パターンをもとに前記スピーカの吹鳴状況を監視することを特徴とする無線通信システム。
【発明の詳細な説明】
【技術分野】
【０００１】
本発明は、無線通信システムに係り、例えば、親局と子局とを備えて構成され市町村防災無線システムに利用される無線通信システムに関する。
【背景技術】
【０００２】
図３は市町村防災無線システム１５０における一般的な系統を示す図である。図示のように、市町村防災無線システム１５０は、親局１２０と屋外子局１０８とから構成されている。さらに、親局１２０は、無線送受信装置１０５と操作卓１０１とから構成されている。
【０００３】
このように構成された市町村防災無線システム１５０において、操作卓１０１は主制御部１０２、監視制御部１０３および選択制御部１０４により構成されている。そして、主制御部１０２は所定の操作部によって入力または無線送受信装置１０５より受信される音声または音声信号（以下、「音声」という）および各種制御信号を制御する。監視制御部１０３は、屋外子局１０８の状態を監視する。また、選択制御部１０４は任意の屋外子局１０８を呼び出す機能を持つ。無線送受信装置１０５は、電波の送信及び受信の状態を表示する無線表示部１０６および電波の変復調および送受信を行う無線部１０７により構成される。屋外子局１０８は、蓄電池などの電源部１０９、制御部１１０、音声増幅部１１１、子局無線部１１２、トランペットスピーカ１１３により構成されている。制御部１１０は、各機能の制御を行う。音声増幅部１１１は、受信した音声信号をトランペットスピーカ１１３で拡声放送するための音量増幅を行う。子局無線部１１２は、音声および信号の変復調および送受信を行う。トランペットスピーカ１１３は、音声増幅部１１１で増幅された音声信号の拡声放送を行う。
【０００４】
通報を行う際は、操作卓１０１から入力された音声を無線送受信装置１０５の無線部１０７から電波として送出し、屋外子局１０８の子局無線部１１２で電波を受信及び復調して、さらに音声増幅部１１１にて増幅した音声をトランペットスピーカ１１３より拡声し、付近住民に放送内容を知らせている。屋外子局１０８の動作状態監視を行う場合は操作卓１０１から屋外子局１０８の子局無線部１１２のアンサーバックを利用し動作状態を監視する。具体的には、音声増幅部１１１における起動の有無が屋外子局１０８の制御部１１０を介して操作卓１０１の監視制御部１０３に通知される。そして監視制御部１０３が、音声増幅部１１１の起動の有無に基づいて屋外子局１０８に障害が発生していると判断している。
【０００５】
このような市町村防災無線システムにおいては、緊急時に確実に動作がなされるように屋外子局の動作状態を把握しておく必要がある。そのような技術の一つに、屋外子局が実際に行った音声拡声放送が、親局の指示の通り行われたか否かの判定を行うことで、利便性を向上させた無線システムが提案されている（例えば、特許文献１参照）。
【特許文献１】特開２００２−３１９９１３号公報
【発明の開示】
【発明が解決しようとする課題】
【０００６】
ところで、図３で説明した従来方式では、操作卓１０１より屋外子局１０８のアンサーバックを利用した屋外子局１０８の音声増幅部１１１における起動の有無による吹鳴監視しか出来ず、実際にトランペットスピーカが故障していても吹鳴異常とならないという課題があり、実際に現地に行かないと故障の有無が分からないため保守が手間であり別の技術が求められていた。特許文献１に開示の技術も同様であった。
【０００７】
本発明は、このような従来の事情に鑑みなされたもので、上記課題を解決して、屋外子局のスピーカなどの音声出力手段の吹鳴監視を適切に行うことができる技術を提案することにある。
【課題を解決するための手段】
【０００８】
本発明に係る装置は、親局と子局とを備えて構成される無線通信システムであって、前記親局は、前記子局が備えるスピーカの振動パターンを検出して、前記振動パターンをもとに前記スピーカの吹鳴状況を監視する。
【発明の効果】
【０００９】
以上、本発明によると、屋外子局のスピーカなどの音声出力手段の吹鳴監視を適切に行うことができる技術を提案することができる。
【発明を実施するための最良の形態】
【００１０】
次に、本発明を実施するための最良の形態（以下、単に「実施形態」という）を、図面を参照して具体的に説明する。以下に説明する実施形態では、屋外子局のトランペットスピーカに振動センサが取り付けられる。親局には、所定の音、例えば放送開始を知らせるチャイムを鳴らしたときに生じるトランペットスピーカの振動パターン（以下、「基準パターン」という）が予め記録されている。そして、トランペットスピーカ１３からチャイムが出力されるときに、振動センサがその出力に伴う基準パターンを検出する。その検出結果が、予め記録しておいた基準パターンと同じであれば、トランペットスピーカ１３は正常であると判断する。以下、詳細に説明する。
【００１１】
図１は、本実施形態に係る市町村防災無線システム５０の概略構成を示す機能ブロック図である。市町村防災無線システム５０は、親局２０と複数の屋外子局８とから構成されている。さらに、親局２０は、無線送受信装置５と操作卓１とを備えて構成されている。
【００１２】
操作卓１は、図３の構成と同様に、主制御部２、監視制御部３および選択制御部４を備え、さらに子局吹鳴監視制御部１６を備えている。そして、主制御部２は所定の操作部（図示せず）によって入力または無線送受信装置５より受信される音声および信号を制御する。監視制御部３は、屋外子局８の状態を監視する。また、選択制御部４は、任意の屋外子局８を呼出す機能を持つ。さらに、子局吹鳴監視制御部１６は、屋外子局８のトランペットスピーカ１３が親局２０の指示（通報）に基づき実際に吹鳴したか否かを監視する。
【００１３】
無線送受信装置５は、無線表示部６および無線部７により構成され、無線表示部６は電波の送信及び受信の状態を表示し、無線部７により電波の変復調および送受信を行う。
【００１４】
屋外子局８は、図３の構成と同様に電源部９、制御部１０、音声増幅部１１、子局無線部１２、トランペットスピーカ１３を備え、さらに本実施形態で特徴的な構成として吹鳴監視部１４及び振動センサ１５を備えている。電源部９は、蓄電池を備え各部の電源を供給する。制御部１０は、各機能の制御を行う。音声増幅部１１は、受信した音声信号をトランペットスピーカ１３によって拡声放送するための音量増幅を行う。子局無線部１２は、音声および信号の変復調および送受信を行う。トランペットスピーカ１３は、音声増幅部１１で増幅された音声信号の拡声放送を行う。また、振動センサ１５は、トランペットスピーカ１３に取り付けられている。さらにまた、吹鳴監視部１４は、振動センサ１５のセンシング結果を取得して、子局無線部１２を介して親局２０へ出力する。
【００１５】
通報を行う際の動作は、従来技術と同様であって、操作卓１から入力された音声を無線送受信装置５の無線部７から電波として送出し、屋外子局８の子局無線部１２で電波を受信及び復調して、さらに音声増幅部１１にて増幅した音声をトランペットスピーカ１３より拡声し、付近住民に放送内容を知らせている。屋外子局８の動作状態監視を行う場合は操作卓１から屋外子局８の子局無線部１２のアンサーバックを利用し動作状態を監視する。
【００１６】
屋外子局８におけるトランペットスピーカ１３の吹鳴監視処理について説明する。上述の通り、吹鳴監視部１４には振動センサ１５が接続されている。トランペットスピーカ１３に吹鳴があった時に振動センサ１５がその振動パターンを検出し、屋外子局８の吹鳴監視部１４は、その検出した情報（以下、「振動パターン情報」という）を取得して所定の記憶領域（図示せず）に蓄積する。操作卓１の子局吹鳴監視制御部１６は、チャイムの基準パターンを記録している。屋外子局８の子局無線部１２は、アンサーバック機能を用いて、操作卓１からの要求により、振動センサ１５にて検出した振動パターン情報を、操作卓１の子局吹鳴監視制御部１６へ伝達する。操作卓１の子局吹鳴監視制御部１６は、屋外子局８から取得した振動パターンとメモリに記録されているチャイムの基準パターンとを比較する。なお、親局２０による屋外子局８の制御方法等は一般的な手法により実現できるので詳細な説明は省略する。
【００１７】
このような処理を図２のフローチャートをもとに具体的に説明する。なお、ここでは、屋外子局８は、第１〜第Ｎの屋外子局８から構成されているものとして説明する。まず、親局２０において、オペレータが操作卓１を操作することで、通報が開始する（Ｓ１１）。これによって、操作卓１から入力された音声が無線送受信装置５の無線部７から電波として送出される。
【００１８】
第１〜第Ｎの屋外子局８＿１〜８＿ｎでは、子局無線部１２が親局２０から出力された電波を受信及び復調して（Ｓ２１＿１〜Ｓ２１＿ｎ）、さらに音声増幅部１１が復調された音声を増幅してトランペットスピーカ１３より拡声する（Ｓ２２＿１〜Ｓ２２＿ｎ）。このとき、上述したように、放送を開始する旨を知らせる所定のチャイムが放送の最初に所定の期間に出力されるようになっている。
【００１９】
そして、第１〜第Ｎの屋外子局８＿１〜８＿ｎの各振動センサ１５は、チャイムが出力されているときのトランペットスピーカ１３の振動を検出し（Ｓ２３＿１〜Ｓ２３＿ｎ）、親局２０において終話により通報が終了すると（Ｓ１２）、検出された振動パターン情報が吹鳴監視部１４の所定の記録領域に蓄積される（Ｓ２４＿１〜Ｓ２４＿ｎ）。
【００２０】
つぎに、親局２０においてオペレータが、操作卓１を操作して、屋外子局８の吹鳴監視部１４に蓄積されている振動パターン情報を通知するように第１〜第Ｎの屋外子局８＿１〜８＿ｎに要求する。具体的には、オペレータの操作を受けた操作卓１の子局吹鳴監視制御部１６は、無線送受信装置５を介して第１の屋外子局８＿１に対して振動パターン情報を通知するように要求する（Ｓ１３＿１）。第１の屋外子局８＿１の吹鳴監視部１４は、蓄積されている振動パターン情報を子局無線部１２から親局２０へ出力し、情報報告を行う（Ｓ２５＿１）。第１の屋外子局８＿１の吹鳴監視部１４から振動パターン情報を受けた操作卓１の子局吹鳴監視制御部１６は、吹鳴監視部１４から取得した振動パターン情報と、予め記録しておいた基準パターンとを比較し、比較結果を蓄積する（Ｓ１４＿１）。
【００２１】
上記の処理が第２〜第Ｎの屋外子局８＿２〜８＿ｎに関して同様になされ、第２〜第Ｎの屋外子局８＿２〜８＿ｎの各トランペットスピーカ１３に取り付けられた振動センサ１５が検知した振動パターン情報が、操作卓１の子局吹鳴監視制御部１６において比較及び蓄積処理される。ここで上述したように、屋外子局８のトランペットスピーカ１３から出力される放送は、開始時にチャイムがあり、つづいて任意の音声放送があるような場合には、子局吹鳴監視制御部１６は、放送開始から所定期間、つまりチャイムが放送されている期間だけを振動パターンから抽出して基準パターンと比較してもよい。また、当然に、警報音のみの放送などであれば、子局吹鳴監視制御部１６は、放送全体又はその一部の振動パターンと基準パターンとを比較してもよい。また、チャイムや警報音が複数種類ある場合、子局吹鳴監視制御部１６は、放送を行ったときのチャイムや警報音の種類と時刻を記録しておき、また、屋外子局８の吹鳴監視部１４は、振動パターンの記録の際に時刻を記録しておく。これによって、子局吹鳴監視制御部１６は、振動パターンと基準パターンとを比較する際に、適切な基準パターンを選択することができる。
【００２２】
第１〜第Ｎの屋外子局８＿１〜８＿ｎに関して振動パターン情報の比較及び蓄積処理が終了すると、子局吹鳴監視制御部１６は、比較結果の集計処理及び表示処理を行う（Ｓ１５）。これによって、第１〜第Ｎの屋外子局８＿１〜８＿ｎの各トランペットスピーカ１３の吹鳴状態がオペレータに提示され、オペレータはその提示内容に応じてトランペットスピーカ１３の保守作業の必要性を把握する。
【００２３】
従来技術で説明した処理では音声増幅部１１の起動確認により、トランペットスピーカ１３の吹鳴を判断していた。つまり、音声増幅部１１が正常に起動したらトランペットスピーカ１３で実際に放送が流れているか否かを不明であってもトランペットスピーカ１３は正常であると判断されていた。しかし、本実施形態では、トランペットスピーカ１３の実際の吹鳴による振動パターンから放送音声の有無を検出している。そのため、トランペットスピーカ１３が正常動作していることを確実に把握することができる。
【００２４】
また、子局吹鳴監視制御部１６は、各屋外子局８に対して、振動パターンの一致又は不一致を確認し、トランペットスピーカ１３の障害の有無を所定の記憶領域（メモリ）に記録する。ここで一致及び不一致の場合はそれぞれ次のように判断できる。
一致した場合・・・スピーカ正常
不一致の場合・・・スピーカ障害
これにより、従来のように直接現地調査を行わなくても、親局から子局吹鳴監視制御部１６のメモリを参照することで障害情報を迅速に把握することができる。これによって、トランペットスピーカ１３の保守管理を迅速かつ適切に行うことができる。なお、不一致の場合、不一致の状態に応じてさらに詳細な判断がなされてもよい。例えば、振動センサ１５が検出した振動パターンの大きさが想定される大きさに満たない場合は、音声増幅部１１の障害の可能性ありと判断してもよい。また、トランペットスピーカ１３のホーン部分に異常が発生している場合の振動パターンを基本パターンの一つとして記録しておけば、トランペットスピーカ１３のホーン部分の故障、例えば、ホーン部分の破損などを把握することもできる。これによって、トランペットスピーカ１３に障害が発生しているときに、緊急の保守が必要とされる障害か、それとも、ある程度機能を発揮できる状態の障害なのかを判断することもできる。
【００２５】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【００２６】
以上、本実施形態の概略特徴をまとめると次の通りである。
親局、子局から構成される無線通信システム（市町村防災無線システム）であって、前記親局は、前記子局のスピーカ（トランペットスピーカ）の振動パターンを検出して、前記振動パターンをもとに前記スピーカの吹鳴状況を監視することを特徴とする。
また、前記子局は、スピーカの出力に伴う前記振動を検出する振動センサと、前記振動センサの検出結果を取得して前記親局に通知する通知手段（吹鳴監視部）と、を備える。
また、前記通知手段は、前記親局からの要求に応じて前記振動センサの検出結果を前記親局へ通知する。
また、前記通知手段は、前記振動センサの検出結果を所定期間蓄積し、蓄積した前記検出結果を前記親局へ通知する。
また、前記振動センサは、前記親局からの放送を当該子局の前記スピーカから出力するときに前記振動パターンを検出することを特徴とする。
また、前記親局は、前記子局の前記センサの振動パターンを取得し、前記振動パターンと所定の基準パターンとを比較して、前記スピーカの吹鳴状態を判断する監視制御部（子局吹鳴監視制御部）を備える。
前記基準パターンは、所定の音声を出力したときに前記子局の前記スピーカが振動するパターンである。
【図面の簡単な説明】
【００２７】
【図１】実施形態に係る、市町村防災無線システムの機能ブロック図である。
【図２】実施形態に係る、吹鳴監視処理を示すフローチャートである。
【図３】従来技術に係る、市町村防災無線システムの機能ブロック図である。
【符号の説明】
【００２８】
１  操作卓
２  主制御部
３  監視制御部
４  選択制御部
５  無線送受信装置
６  無線表示部
７  無線部
８  屋外子局
９  電源部
１０  制御部
１１  音声増幅部
１２  子局無線部
１３  トランペットスピーカ
１４  吹鳴監視部
１５  振動センサ
１６  子局吹鳴監視制御部
２０  親局
５０  市町村防災無線システム
【図１】
2010147893.tif 000003
【図２】
2010147893.tif 000004
【図３】
2010147893.tif 000005